(57)【特許請求の範囲】
【請求項１】
空間部の屋根を形成するフレームの大小に応じて単数又は複数枚に分割したシートから形成されたテント体と、該テント体の開閉方向に張設しテント体の移動を補助するガイド用ロープと、前記テント体の先端側に連結しテント体を開閉移動する駆動用ロープと、該駆動用ロープを移動するウインチから構成されたテント開閉装置において、前記テント体には、テント体の開閉方向と交差する方向に沿って所望の間隔で連結した複数本の棒状体が取り付けられ、しかも、該棒状体には、移動自在に取り付けられガイド用ロープ及び駆動用ロープの張設位置に応じて移動する複数個の移動体と、先端側の棒状体に駆動用ロープを連結する連結体が設けられ、且つ前記移動体が、ガイド用ロープ及び駆動用ロープを架け渡して移動する移動滑車と、一端側を前記移動滑車に回動自在に軸支し、他端側を前記棒状体に回動自在に設けられ、隣り合う移動滑車が当接することなく、移動滑車の径より幅広の連結板から構成されていることを特徴とするテントの開閉装置。
【請求項２】
空間部の屋根を形成するフレームの大小に応じて単数枚又は分割した複数枚のシートから形成されたテント体を開閉方向に沿ってフレームに張設したガイド用ロープに沿って吊り張りし、該ガイド用ロープに並行に張設した駆動用ロープをウインチで移動することで屋根をテント体で開放又は閉塞するテントの開閉方向において、前記テント体には、開閉方向と交差する方向に所望の間隔を有して複数本の棒状体を連結し、該棒状体に複数個移動自在に取り付け、一端側に移動滑車を回動自在に軸支し滑車の径より幅広の連結板から構成された移動体をテント体の開閉方向でガイド用ロープ及び駆動用ロープの張設位置に応じて棒状体に沿って直線状となるように整列調整し、該移動滑車を介してガイド用ロープ及び駆動用ロープに吊り張りするとともに、先端側の棒状体に設けられた連結体に駆動用ロープを連結した後、ウインチを用いて駆動用ロープをエンドレス状に移動することで、隣り合う移動滑車が当接することなく軸支した連結板間を順次離反、又は密接しテント体をフレームに沿って開放又は閉塞移動することを特徴とするテントの開閉方向。
【発明の詳細な説明】
【技術分野】
【０００１】本発明は、工場等の屋外部分の屋根を形成するフレームに沿って単数枚又は分割した複数枚のシートから形成されたテント体を移動して屋根部分を開閉するテント、又は土木工事等で雨、直射日光から作業員を保護する作業用のテントの開閉装置、及びテントの開閉方法に関する。
【背景技術】
【０００２】近年、工場の屋根や架設工事現場で使用する開閉式のテントは、屋外の空間部の一部又は全体を囲むように立設した山形勾配のフレーム、又は片面勾配のフレームと、該フレームの屋根に沿って被覆する単数枚のシート又は複数枚に分割したシートから形成されたテント体と、テント体の両端部にそれぞれ連結した複数本の駆動用ロープと、各駆動用ロープを巻き取り移動する巻き取り方式のウインチ（本発明で巻き取り方式のウインチとは、ドラムにロープを多重巻同し、ロープを巻き取り移動及び引き出し移動する方式のウインチである）から構成され、テント体を開閉移動する場合は、一方側のウインチで駆動用ロープを巻き取り移動（引き出し移動）するとともに、他方のウインチで駆動用ロープを引き出し移動（巻き取り移動）することで、屋根を形成するフレームに沿ってシート毎に移動しテント体をフレームに沿って開閉移動する。【０００３】上記テント体の面積に応じては、フレームのテント体移動方向に沿ってガイド用ロープを張設し、該ガイド用ロープに沿ってテント体を開閉移動する。【０００４】また、屋根を形成するフレームに沿って平行に配置された少なくとも一対のレールと、レール間に架け渡された状態でレールに沿って移動可能な複数の支持部材と、各支持部材間に架け渡され、支持部材を広げた場合に屋根部分を覆い、支持部材を畳んだ場合に屋根部分を開放するテント体と、レール部分に沿って周回移動する駆動用ロープと、該駆動用ロープを駆動するウインチから構成され、テント体を開閉する場合は、ウインチで駆動用ロープを周回移動してレールに沿って屋根部分を移動し、支持部材を広げることで屋根部分を閉塞している。
【発明の開示】
【発明が解決しようとする課題】
【０００５】しかしながら、上記テントの開閉装置は、複数台の巻き取り方式のウインチを用いて駆動用ロープを移動するために、各ウインチを連動し同期して移動しなければならず、その連動する操作が煩雑でありトラブルの原因となった。【０００６】また、駆動用ロープはシート毎に連結しているために多くの駆動用ロープを必要とし、駆動用ロープの吊り張り作業が煩雑であり頻繁なメンテナンスを必要とする欠点があった。【０００７】また、テント体を開放移動又は閉塞移動する場合に、各幅広のテント体の荷重によりテント体への連結部分の両側で駆動用ロープが弛緩し、該弛緩部分に弛み、撓み又は捩れが発生し易く、テント体をスムーズに移動することができない欠点があった。特にレールを用いて移動する場合は、テント体の重量があるために、頻繁に弛み等が発生し易い欠点があった。【０００８】また、従来の装置で使用するウインチは、駆動用ロープの空回りを解消するために大型のウインチを使用し、設置場所は地面部分に限定され、空間部の上下方向にもロープを吊り張りする必要があった。【０００９】さらに、テント体を形成するシートの開閉方向が相違する場合は、複数台のウインチを設置する必要があり、設置スペースを確保する問題があった。【００１０】また、従来ガイド用ロープはテント体の開閉方向の両端側近傍に沿って吊り張りし、テント体に直接取り付けられたリング等にガイド用ロープを挿通しているが、ガイド用ロープの吊り張り位置等応じてリング等の取り付け位置を微調整することできずテント体のスムーズな移動に支障をきたす場合があった。【００１１】さらに、従来駆動用ロープはガイド用ロープの上方側に張設し、ガイド用ロープに沿って移動自在なテント体の先端側を駆動用ロープに連結することで該ガイド用ロープに沿ってテント体を開閉移動するが、駆動用ロープの吊り張りのスペースを別に構成する必要があり、屋根を形成するフレームを大きくする欠点があった。【００１２】また、上記構成ではテント体の先端側を駆動用ロープで斜め上方に引っ張りながらテント体をガイド用ロープに沿って移動するために、駆動用ロープに弛み等が発生し易くスムーズな移動に支障をきたす。【００１３】そこで、本発明は上記課題を解決し、テント体をスムーズに移動することができ、設置スペースが少な、駆動用ロープの弛み等を解消し、トラブルがなく、ウインチの設置にも問題がないテントの開閉装置、及びテントの開閉方法を提供することを提供することを課題とする。
【課題を解決するための手段】
【００１４】上記課題を解決するテントの開閉装置は、請求項１に記載のように、空間部の屋根を形成するフレームの大小に応じて単数枚又は複数枚に分割したシートから形成されたテント体と、該テント体の開閉方向に張設しテント体の移動を補助するガイド用ロープと、前記テント体の先端側に連結しテント体を開閉移動する駆動用ロープと、該駆動用ロープを移動するウインチから構成されたテント開閉装置において、前記テント体には、テント体の開閉方向と交差する方向に沿って所望の間隔で連結した複数本の棒状体が取り付けられ、しかも、該棒状体には、移動自在に取り付けられたガイド用ロープ及び駆動用ロープの張設位置に応じて移動する複数個の移動体と、先端側の棒状体に駆動用ロープを連結する連結体が設けられ、且つ前記移動体が、ガイド用ロープ及び駆動用ロープを架け渡して移動する移動滑車と、一端側を前記移動滑車に回動自在に軸支し、他端側を前記棒状体に回動自在に設けられ、隣り合う移動滑車が当接することなく、移動滑車の径より幅広の連結板から構成されていることを特徴とする。【００１５】また、上記課題を解決するテントの開閉方法は、請求項２に記載のように、空間部の屋根を形成するフレームの大小に応じて単数枚又は分割した複数枚のシートから形成されたテント体を開閉方向に沿ってフレームに張設したガイド用ロープに沿って吊り張りし、該ガイド用ロープに並行に張設した駆動用ロープをウインチで移動することで屋根をテント体で開放又は閉塞するテントの開閉方法において、前記テント体には、開閉方向と交差する方向に所望の間隔を有して複数本の棒状体を連結し、該棒状体に複数個移動自在に取り付け、一端側に移動滑車を回動自在に軸支し滑車の径より幅広の連結板から構成された移動体をテント体の開閉方向でガイド用ロープ及び駆動用ロープの張設位置に応じて棒状体に沿って直線状となるように整列調整し、該移動滑車を介してガイド用ロープ及び駆動用ロープに吊り張りするとともに、先端側の棒状体に設けられた連結体に駆動用ロープを連結した後、ウインチを用いて駆動用ロープをエンドレス状に移動することで、隣り合う移動滑車が当接することなく、軸支した連結板間を順次離反、又は密接しテント体をフレームに沿って開放又は閉塞移動することを特徴とする。
【発明の作用・効果】
【００１６】本発明のテントの開閉装置、及びテントの開閉方法の作用効果について説明する。
【００１７】先ず、請求項１に記載のテントの開閉装置は、屋根部分を形成するフレームの大小に応じて単数枚又は複数枚に分割したシートから形成されたテント体を、フレームに沿ってテント体の開閉方向に張設したガイド用ロープに沿って吊り張りするとともに、テント体を開閉移動する駆動用ロープを連結する。
【００１８】前記テント体のガイド用ロープに沿っての吊り張りは、テント体の開閉方向と交差する方向に所望の間隔を有して取り付けられた複数本の棒状体に移動自在に取り付けられた移動体調整することで、前記張設したガイド用ロープに対応した張設位置に応じて移動体を微調整しながら位置調整することができる。
【００１９】前記移動体は、棒状体に設けられた連結板と、該連結板の一端側に回動自在に軸支した移動滑車から構成され、該移動滑車を用いてガイド用ロープに移動自在に架け渡すことでガイド用ロープに沿って吊り張りする。
【００２０】この際、前記移動滑車は滑車の径より幅広の連結板に軸支しているために、テント体の開放移動時、又は閉塞移動時に隣り合う滑車が相互に当接することなく、ガイド用ロープに沿ってスムーズに移動できる。
【００２１】次に、前記テント体への駆動用ロープの連結は、駆動用ロープを開閉方向に沿ってフレームにエンドレス状に張設した後、前記テント体に取り付けられた先端側の棒状体の連結体に駆動用ロープの一端側を連結するとともに、前記移動体の移動滑車を用いて駆動用ロープを取り付ける。
【００２２】これにより、ウインチで駆動用ロープを移動すると、テント体の先端側の棒状体が駆動用ロープの移動方向に引っ張られ、テント体はガイド用ロープに沿って開閉移動する。
【００２３】また、駆動用ロープを複数枚に分割したシートにそれぞれに連結することで、同時に開閉移動することができ、テント体の開閉移動が容易である。
【００２４】しかも、駆動用ロープは１台のウインチで移動することができ、簡易な構成で装置を構成することができる。
【００２５】また、駆動用ロープがフレームに沿ってエンドレス状に張設しているために、テント体を形成するシートの開閉方向が相違しても、該駆動用ロープに連結体を用いてそれぞれシートに連結することで、各シートを同期して開閉移動することができる。
【００２６】このように、本発明のテントの開閉装置は、テント体をガイド用ロープに沿って適切に吊り張りすることができ、しかも、同時に複数枚に分割したシートをスムーズに移動することができ、頻繁なメンテナンスを必要としない。
【００２７】また、テント体の開放移動又は閉塞移動がトラブルなくスムーズに移動することができる。
【００２８】次に、請求項２のテントの開閉方法は、空間部の屋根を形成するフレームの大小に応じて単数枚又は分割した複数枚のシートから形成されたテント体を形成するとともに、該テント体の開閉方法に沿ってフレームにガイド用ロープを張設する。
【００２９】その後、テント体の開閉方向に沿ってフレームにエンドレス状に駆動用ロープを張設する。
【００３０】そして、テント体の開閉方向と交差する方向に所望の間隔を有して複数本の棒状体を取り付け、該棒状体に移動自在に取り付けた移動体を前記ガイド用ロープ及び駆動用ロープに応じて直線状となるように整列調整する。
【００３１】この際、移動体は棒状体に移動自在であるために、ガイド用ロープ及び駆動用ロープに応じて微調整しながら直線状移動することができる。
【００３２】前記移動体のガイド用ロープ及び駆動用ロープへの取り付けは、移動体を構成する移動滑車を介してガイド用ロープ及び駆動用ロープに取り付けるとともに、先端側の棒状体の連結体に駆動用ロープを連結する。
【００３３】そして、ウインチを用いて駆動用ロープをエンドレス状に移動することで、ガイド用ロープに沿ってテント体を開放移動又は閉塞移動する。
【００３４】この際、移動滑車は滑車の径より幅広に形成された連結板に軸支されているために、テント体の閉塞移動時は、隣り合う移動滑車が当接することなく順次離反しガイド用ロープに沿って閉塞移動することができ、テント体の開放移動時は、隣り合う移動滑車が当接することなく順次近接しガイド用ロープに沿って開放移動することができる。
【００３５】このように、本発明のテントの開閉方法は、駆動用ロープをエンドレス状に移動し、テント体をガイド用ロープに沿って開閉移動することができる。
【００３６】このため、頻繁なメンテナンスを必要とすることなくテント体を移動することができる。
【００３７】しかも、テント体は移動滑車を介してガイド用ロープに取り付け、スムーズに開閉移動することができる。
【発明を実施するための最良の形態】
【００３８】本発明のテントの開閉装置、及びテントの開閉方向について図面を用いて説明する。【００３９】図１は本発明のテントの開閉装置を示す概略説明平面図であり、図２はテント体の閉塞状態を示す概略説明側面図であり、図３はテント体の開放状態を示す概略説明側面図であり、図４は駆動用ロープへのテント体の連結を示す概略説明側面図であり、図５は本発明のテントの開閉装置に使用するエンドレス方式のウインチを示す概略説明平面図であり、図６、図７、図８は本発明のテントの開閉装置に使用するエンドレス方式のウインチの他実施例を示す概略説明平面図であり、図９、図１０は本発明のテントの開閉装置の他実施例を示す概略説明平面図であり、図１１、図１２は本発明のテントの開閉方法を示すフローチャートである。【００４０】本発明のテントの開閉装置１は、屋根を形成するフレーム２０部分に沿って設けられた単数枚又は分割した複数枚のシート２Ａから形成されたテント体２と、該テント体２の移動方向に沿ってフレーム２０に等間隔で張設した複数本のガイド用ロープ３と、テント体２の略中央部分でテント体２の移動方向に沿ってフレーム２０に取り付けた滑車４を介してエンドレス状に吊り張りした駆動用ロープ５と、該駆動用ロープ５を移動するエンドレス方式のウインチ６（本発明でエンドレス方式のウインチとは、駆動用ロープ５を巻回ドラム８の一方側より取り入れ他方側より取り出し移動するウインチのことである）から構成されている。【００４１】前記テント体２は、フレーム２０の形状、大きさに応じて単数枚又は分割した複数枚のシート２Ａから形成されている。【００４２】前記テント体２を形成するシート２Ａには、移動方向と交差する方向に所望の間隔を有して複数本の棒状体１１がその両端側をシート２Ａの測端部に固定することで取り付けられ、シート２Ａの強度を保つとともに、テント体２の収納幅を決定する。【００４３】前記棒状体１１には、移動自在に移動体１２が設けられ、ガイド用ロープ３、及び駆動用ロープ５の張設位置に応じて棒状体１１に沿って移動し、各棒状体１１に設けられた移動体１１を直線状に位置する。【００４４】また、前記移動体１２は一端側に移動滑車１３を軸支し、他端側を前記棒状体１１に設けられた連結板１４から構成され、しかも、該連結板１４の幅を移動滑車１３の径より拡径に形成することで、軸支した移動滑車１３がテント体２の開閉時に前後に位置する隣り合う移動滑車１４に当接することなくガイド用ロープ３に沿って移動できる。【００４５】このため、テント体２の荷重でガイド用ロープ３が弛んだ場合であっても移動滑車１３が接触することなくガイド用ロープ３に沿って移動することができる。【００４６】前記テント体２を形成するシート２Ａの先端側の棒状体１１には駆動用ロープ５を連結する連結体１５が設けられている。【００４７】前記駆動用ロープ５は、テント体２の面積に応じてフレーム２０に２往復、又は３往復等エンドレス状に張設することで対応する。この場合、上記連結体１５を２個棒状体１１に取り付け、２箇所で駆動用ロープ５に連結することも可能である。【００４８】前記ウインチ６は、駆動源により回転駆動する駆動軸７と、該駆動軸７に設けられ、外周に駆動用ロープ５を巻回する溝の形成された巻回ドラム８と、該巻回ドラム８の外周に設けられ、複数のローラから形成され駆動用ロープ５を溝側へ押圧調整する押圧移動体９と、駆動用ロープ５を巻回ドラム８に取り入れ移動及び巻回ドラム８より取り出し移動する２個の案内ローラ１０から構成されている。尚、前記巻回ドラム８の数はテント体２を形成するシート２Ａの枚数や、各シート２Ａの移動方向が相違する場合において、２個又は２個以上をそれぞれ駆動軸７で回転駆動すべく構成して対応することができる。【００４９】本発明のテントの開閉装置１は上記のように形成され、次に、該テントの開閉装置１を用いて架設用のテントを開閉する方法について説明する。【００５０】テントを吊り張りする屋根部分は正面から見ると、矩形状の外周フレーム２０Ａと十字状の支持フレーム２０Ｂから形成されている。【００５１】テントを形成するテント体２は前記支持フレーム２０Ｂに沿って６分割（２Ａ，２Ｂ，２Ｃ，２Ｄ，２Ｅ，２Ｆ）し、外周フレーム２０Ｂの移動方向に沿って複数本のガイド用ロープ３を吊り張りした後、各テント体２を形成する各シート２Ａ，２Ｂ，２Ｃ，２Ｄ，２Ｅ，２Ｆに所望の間隔を有して棒状体１１を取り付け、その後、前記棒状体１１に移動自在に取り付けた移動体１２をガイド用ロープ３の張設した位置に対応して直線状に位置する。【００５２】その後、移動体１２の移動滑車１３を前記ガイド用ロープ３に架け渡すことで、テント体２を吊り張りする。【００５３】次に、テント体２の移動方向の外周フレーム２０Ａの所望のガイド用ロープ３間にそれぞれ滑車４を取り付け、該滑車４間に沿って駆動用ロープ５をエンドレス状に張設し、外周フレーム２０Ａの端部にエンドレス方式のウインチ６を設置する。【００５４】その後、前記テント体２を形成する各シート２Ａ，２Ｂ，２Ｃ，２Ｄ，２Ｅ，２Ｆの先端側の棒状体１１にそれぞれ設けられた連結体１５を駆動用ロープ５に連結するとともに、各移動体１２の移動滑車１３に駆動用ロープ５を架け渡す。【００５５】これにより、各シート２Ａ，２Ｂ，２Ｃ，２Ｄ，２Ｅ，２Ｆは駆動用ロープ５と同一の移動方向にガイド用ロープ３に沿って移動することができる。【００５６】上記のように設置したテントの開閉装置１を用いてフレーム２０の屋根部分を閉塞する場合は、ウインチ６を駆動して矢印Ｂ方向に駆動用ロープ５を移動することで駆動用ロープ５に連結した連結体１５を引っ張る。これにより、ガイド用ロープ３に沿って各シート２Ａ，２Ｂ，２Ｃ，２Ｄ，２Ｅ，２Ｆを広げるように同一移動し、テント体２で屋根部分を閉塞する。【００５７】また、屋根部分を開放する場合は、ウインチ６を駆動して矢印Ｆ方向に駆動用ロープ５を移動することで、該駆動用ロープ５に連結した連結体１５を引っ張る。これにより、ガイド用ロープ３に沿って各シート２Ａ，２Ｂ，２Ｃ，２Ｄ，２Ｅ，２Ｆを収納するように同一移動し、テント体２の屋根部分を開放する。【００５８】上記テント体２を開閉移動する際、テント体２の荷重、又は風等の外的な影響によりガイド用ロープ３に撓み、弛みが発生しても移動滑車１３が連結板１４に軸支し、連結板１４の幅が移動滑車１３の径より幅広であるために、前後の隣り合う移動滑車１３が当接することなくスムーズに移動することができる。【００５９】また、前記駆動用ロープ５はエンドレス状に張設しているために、テント体２を形成する各シート２Ａ，２Ｂ，２Ｃ，２Ｄ，２Ｅ，２Ｆを同期して移動することができる。【００６０】さらに、ウインチ６への駆動用ロープ５の取り入れ側、又は駆動用ロープ５の取り出し側で、該駆動用ロープ５が弛緩すると、駆動用ロープ５に弛み、撓み等が発生する。しかしながら、駆動用ロープ５をウインチ６の案内ローラ１０を介して巻設ドラム８の溝側に取り入れ、押圧移動体９で溝側に押圧しながら駆動用ロープ５を移動することで、前記弛み等を解消することができ、スムーズに駆動用ロープ５を移動することができる。【００６１】上記移動体１２の連結板１４と、ウインチ６の押圧移動体９とにより、テント体２及び駆動用ロープ５をスムーズに移動することができ、頻繁なメンテナンスを必要としない。【００６２】上記実施例において、駆動用ロープ５は単数本のロープをフレーム２０に沿ってエンドレス状に張設したが、例えば、２本の駆動用ロープ５をそれぞれフレーム２０に沿ってエンドレス状に張設し、ウインチ６に２本の駆動軸７を設け、該駆動軸７にそれぞれ巻回ドラム８を取り付け、２本の駆動用ロープ５を同期して移動することで、各駆動用ロープ５へテント体２の荷重を分散し、スムーズに移動することができる。尚、巻回ドラム８の数は２個に限定するものでなく、駆動用ロープ５の本数に対応して複数個取り付けることもできる。【００６３】また、テント体２を形成するシート２Ａのフレーム２０に沿っての移動方向がそれぞれ相違する場合は、複数本の駆動用ロープ５をそれぞれ移動方向に沿って吊り張りし、複数個の巻回ドラム８で各駆動用ロープ５を移動すべく構成することで、上記と同様に駆動用ロープ５の弛み等の発生を防ぎ、また各駆動用ロープ５を同期して移動することでスムーズにテント体２を移動することができる。同様に、各シート２Ａの移動方向が同一の場合でも、複数本の駆動用ロープ５をそれぞれ複数の巻回ドラム８で移動することで弛み等発生することなくスムーズに移動することができる。【００６４】また、上記複数の巻回ドラム８を用いる場合も実施例と同様に押圧移動体９で駆動用ロープ５の弛み等を解消することができる。【００６５】このように、テント体２の移動方向の相違又は大きさに応じて、駆動用ロープ５の本数及び駆動用ロープ５を巻回する巻回ドラム８の数を調整することで、従来にないスムーズなテント体２の移動を可能とする。【００６６】また、駆動用ロープ５がガイド用ロープ３に並行に張設しているために、テント体２の移動を同一方向に引っ張りスムーズに移動することができる。【００６７】また、駆動用ロープ５及びガイド用ロープ３の移動時の弛み等の発生が少なく適切な移動ができる。
【図面の簡単な説明】
【００６８】
【図１】本発明のテントの開閉装置を示す概略説明平面図
【図２】テント体の閉塞状態を示す概略説明側面図
【図３】テント体の開放状態を示す概略説明側面図
【図４】駆動用ロープのテント体への取り付けを示す概略説明側面図
【図５】エンドレス方式のウインチを示す概略説明平面図
【図６】エンドレス方式のウインチの他実施例を示す概略説明平面図
【図７】エンドレス方式のウインチの他実施例を示す概略説明平面図
【図８】エンドレス方式のウインチの他実施例を示す概略説明平面図
【図９】本発明のテントの開閉装置の他実施例を示す概略説明平面図
【図１０】本発明のテントの開閉装置の他実施例を示す概略説明平面図
【図１１】本発明のテントの開閉方法を示すフローチャート
【図１２】本発明のテントの開閉方法を示すフローチャート
【符号の説明】
【００６９】１−テントの開閉装置、２−テント体、３−ガイド用ロープ、５−駆動用ロープ、６−ウインチ
【要約】      （修正有）【課題】構成が簡易でスムーズにテントを形成するシート体を移動することのできるテントの開閉装置、及びテントの開閉方法を提供する。【解決手段】単数枚又は複数枚に分割したシート２Ａ、２Ｂ，２Ｃ、２Ｄ、２Ｅ、２Ｆから形成されたテント体２と、テント体２の開閉方法に張設しテント体２の移動を補助するガイド用ロープ３と、テント体２の先端側に連結し、テント体２を開閉移動する駆動用ロープ５と、駆動用ロープ５を移動するウインチ６から構成され、テント体２の開閉方向と交差する方向に沿って所望の間隔で複数本の棒状体が取り付けられ、棒状体にはガイド用ロープ３及び駆動用ロープ５に沿って移動する複数個の移動体が移動自在に取り付けられ、且つ移動体がガイド用ロープ及び駆動用ロープに沿って移動する移動滑車４と、一端側に移動滑車４を回動自在に軸支し、他端側を棒状体に取り付け、移動滑車４の径より拡径した連結板から構成される。【選択図】図１【図１】
0005403452.tif 000002
【図２】
0005403452.tif 000003
【図３】
0005403452.tif 000004
【図４】
0005403452.tif 000005
【図５】
0005403452.tif 000006
【図６】
0005403452.tif 000007
【図７】
0005403452.tif 000008
【図８】
0005403452.tif 000009
【図９】
0005403452.tif 000010
【図１０】
0005403452.tif 000011
【図１１】
0005403452.tif 000012
【図１２】
0005403452.tif 000013